(57)【要約】  【課題】  従来の空気吸い込み口の形態に代わって、清掃がしやすい形態の空気吸い込み口を備えた空気調和機の提供を主たる目的とする。  【解決手段】  内部に熱交換器及び送風機が収容された空気調和機本体２と、この空気調和機本体の前面部に配置された前面パネル７とを備え、空気調和機本体２の上面には内側に網状のフィルタ９が配置された空気吸い込み口５が形成されている空気調和機である。そして、空気吸い込み口５は、空気調和機本体２の上面において、左右方向に長い矩形状の長孔２０によってその全体形が形成されると共に、長孔２０を前後に亘る複数の縦リブのみによって区分された複数の区分吸い込み口５Ａ１によって構成されている。【選択図】      図２
2006090694.tif 000002
【特許請求の範囲】
【請求項１】
内部に熱交換器及び送風機が収容された空気調和機本体と、この空気調和機本体の前面部に配置された前面パネルとを備え、前記空気調和機本体の上面には内側に網状のフィルタが配置された空気吸い込み口が形成されている空気調和機において、
前記空気吸い込み口は、前記空気調和機本体の上面において、左右方向に長い矩形状の長孔によってその全体形が形成されると共に、前記長孔を前後に亘る複数の縦リブのみによって区分された複数の区分吸い込み口によって構成されていることを特徴とする空気調和機。
【請求項２】
前記複数の区分吸い込み口は前後方向に長く形成されていることを特徴とする請求項１に記載の空気調和機。
【請求項３】
前記縦リブは、左右の幅寸法が１０〜３０ｍｍに設定された広幅のものとし、かつ、外面の中央位置には、その縦リブの全長に亘って外向きに突出した補強リブが一体成型されていることを特徴とする請求項１に記載の空気調和機。
【請求項４】
前記縦リブの内面は、平坦としたことを特徴とする請求項３に記載の空気調和機。
【発明の詳細な説明】
【技術分野】
【０００１】
本発明は、空気調和機本体内に熱交換器と送風機が配置され、内側にフィルタが配置される空気吸い込み口が前記空気調和機本体の上面に形成された空気調和機に関する。
【背景技術】
【０００２】
空気調和機本体内に熱交換器と送風機が配置され、裏側にフィルタが配置される空気吸い込み口が前記空気調和機本体の上面と前面に形成された空気調和機がある。この場合、空気の吸い込み口は、その裏側のフィルタ等の目隠しをするようなデザイン的考慮によって、多数の横桟とこの横桟を補強する複数の縦桟で連結した格子状の形態に形成されている。（例えば、特許文献１参照）。
【特許文献１】特開２００３−１９４３６５号公報
【発明の開示】
【発明が解決しようとする課題】
【０００３】
特許文献１のものでは、横桟相互の間隔が狭く、そのために横桟と縦桟の外表面における汚れの清掃がし難い状況である。また、近年では、空気調和機の正面デザインを向上させるために、主たる空気の吸い込み口を空気調和機本体の前面に形成せずに、上面のみに形成するようにしている。さらにまた、空気調和機本体の上面に主たる空気の吸い込み口を形成すると共に、その本体の正面にも空気吸い込み口を設けた場合は、この正面の空気吸い込み口は、正面から直視し難いように、目隠しをする等の考慮が払われている。この場合にも、空気調和機本体上面の空気吸い込み口は、多数の横桟とこの横桟を複数の縦桟で連結して横桟を補強する形態を採用しているため、空気の吸い込み抵抗が大きくなり、その分だけ、熱交換性能が低下するため、好ましいものではない。しかも、空気調和機の上面へ手を差し入れて行う空気吸い込み口部分の清掃も、横桟と縦桟の表面の拭き取り作業が難い状況である。
【０００４】
本発明は、上述の実情に鑑みてなされたものであり、空気調和機本体の上面に空気の吸い込み口を形成してなる空気調和機において、従来の空気吸い込み口の形態に代わって、清掃がしやすい形態の空気吸い込み口を備えた空気調和機の提供を主たる目的とすると共に、清掃の容易さと合わせて熱交換効率のアップとなる空気吸い込み口構造の提供を目的としている。更に、空気吸い込み口部分の強度が確保できる上、フィルタの挿入の邪魔にならない補強形態の空気吸い込み口構成を提供するものである。
【課題を解決するための手段】
【０００５】
請求項１に記載の発明は、内部に熱交換器及び送風機が収容された空気調和機本体と、この空気調和機本体の前面部に配置された前面パネルとを備え、前記空気調和機本体の上面には内側に網状のフィルタが配置された空気吸い込み口が形成されている空気調和機において、前記空気吸い込み口は、前記空気調和機本体の上面において、左右方向に長い矩形状の長孔によってその全体形が形成されると共に、前記長孔を前後に亘る複数の縦リブのみによって区分された複数の区分吸い込み口によって構成されていることを特徴とする。
【０００６】
請求項２に記載の発明は、請求項１に記載の空気調和機において、前記複数の区分吸い込み口は前後方向に長く形成されていることを特徴とする。
【０００７】
請求項３に記載の発明は、請求項１に記載の空気調和機において、前記縦リブは、左右の幅寸法が１０〜３０ｍｍに設定された広幅のものとし、かつ、外面の中央位置には、その縦リブの全長に亘って外向きに突出した補強リブが一体成型されていることを特徴とする。
【０００８】
請求項４に記載の発明は、請求項３に記載の空気調和機において、前記縦リブの内面は、平坦としたことを特徴とする。
【発明の効果】
【０００９】
請求項１に記載の発明では、空気調和機本体の上面の空気吸い込み口は、左右方向に長い矩形状の長孔によってその全体形が形成されると共に、前記長孔を前後に亘る複数の縦リブのみによって区分された複数の区分吸い込み口によって構成されている形態であるから、従来のような間隔の狭い横桟が存在しないため、汚れが付着する部分が少なくなり、清掃も簡単に行える。しかも、実質的に横桟が存在しないため、空気吸い込み口部分の拭き取り作業も、縦リブを前後に拭き取ることによって簡単に行うことができ、清掃作業がし易くなると共に、空気吸込み抵抗も少なくなるため、送風機を大型にせずに熱交換効率を向上させることができる。
【００１０】
請求項２に記載の発明は、複数の区分吸い込み口が、前後方向に長く形成された形態であるため、横桟を必要とせずに強度アップが図れるものである。
【００１１】
請求項３、４に記載の発明では、請求項１に記載の発明の効果に加えて、補強リブによって縦リブの補強ができ、その補強による構成も縦リブの裏側には補強リブが存在しないため、空気吸い込み口の裏側に挿入されるフィルタの着脱操作にも邪魔にならない構成となる。
【発明を実施するための最良の形態】
【００１２】
本発明の空気調和機は、内部に熱交換器及び送風機が収容された空気調和機本体と、この空気調和機本体の前面部に配置された前面パネルとを備え、前記空気調和機本体の上面には内側に網状のフィルタが配置された空気吸い込み口が形成されている空気調和機において、前記空気吸い込み口は、前記空気調和機本体の上面において、左右方向に長い矩形状の長孔によってその全体形が形成されると共に、前記長孔を前後に亘る複数の縦リブのみによって区分された複数の区分吸い込み口によって構成されているものであり、以下に本発明の実施形態を記載する。
【実施例１】
【００１３】
次に、本発明の実施の形態について説明する。図１は本発明に係る空気調和機の縦断側面図、図２は本発明に係る空気調和機のフィルタを取り外した状態の上面斜視図、図３は本発明に係る空気調和機上面の空気吸い込み口部分の部分拡大斜視図である。以下、実施例の構成について説明する。
【００１４】
図において、本発明に係る空気調和機１は、室内の壁に掛けられるタイプの壁掛け式室内用空気調和機であり、冷媒の圧縮機と凝縮器とこれらの熱交換用送風機等を収納した室外機とで一組の分離型空気調和装置を構成するものである。空気調和機１は、図１に示すように、内部に熱交換器３と送風機４が収容され、上面に室内空気を取り入れる大きい面積の空気吸い込み口５Ａが形成され、この空気吸い込み口５Ａの内側には網状のフィルタ６が配置されている。
【００１５】
これを具体的に説明すると、空気調和機１は、空気調和機本体２と前面パネル７とで構成され、前記空気調和機本体２は、空気調和機１の背面側に位置する基体部２Ａと、その基板２Ａの前面側に組み合わされたカバー部２Ｂとで構成されている。
【００１６】
前記カバー部２Ｂは、前後に開口して空気調和機１の外形形状をした枠状をなし、前面パネル７は、カバー部２Ｂの前面開口を開閉するように、そのカバー部２Ｂの左右上端部に軸支持部８、８で軸支持されている。前記基体部２Ａの前面側には、熱交換器３と送風機４と電装箱等が取り付けられ、カバー部２Ｂがこれらの周囲を覆う形態となっている。そして、空気調和機１を室内の壁に取り付ける場合は、室内の壁に固定した固定板（図示せず）に対して、前記基体部２Ａの背面部が取り付けられる。
【００１７】
上記のように、熱交換器３と送風機４は、空気調和機本体２内に配置されており、前記熱交換器３は、図１に示すように、略逆Ｖ字状に配置された前面側熱交換部３Ａと後面側熱交換部３Ｂとで構成されており、前面側熱交換部３Ａは、下部が後方へ屈曲された部分３Ａ１を形成した形状を成している。前記熱交換器３は、並列配置した多数のアルミニウム薄板Ｐに冷媒パイプＱが貫通配置されたプレートフィン型熱交換器の構成である。送風機４は、横軸４Ｂで支持され、左右方向に延びた多数の羽根４Ａが円周に配置された横流式ファンであり、そして、この送風機４は熱交換器３の内側に配置されて、略熱交換器３の左右全幅に至る長さを有する。
【００１８】
空気調和機１は、送風機４の運転によって熱交換器３と熱交換する空気を吸い込む空気吸い込み口５Ａが、上面の左右方向に長く、かつ、広く形成されている。そして、前記フィルタ６は、フィルタ網がその周囲に形成される合成樹脂製枠を射出成型すると同時にこの合成樹脂製枠と一体成型されたものであり、左右各１枚を一組としている。
【００１９】
前記各フィルタ６は、前面パネル７を開いた状態で、空気調和機本体２の左右両側部に形成したフィルタ支持レール部９と、その中間部に形成されたフィルタ支持レール部９（図３において９Ｄで示めしている。また、９Ｃは仕切り壁であり、この仕切り壁９Ｃはフィルタ６の厚さと同等である。）に対して、カバー部２Ｂの前面開口側から上方へ向かうスライド式の挿入により、取り外し自在に組み込まれる。
【００２０】
また、前記した左右一組のフィルタ６は、それぞれ左右両縁部をフィルタ支持レール部９に支持された状態で、前記空気吸い込み口５Ａの内側に配置され、前記熱交換器３の前面側と上面側の全域を覆う状態となる。なお、フィルタ６をフィルタ支持レール部９、９Ｄにスライドし易くするためと、フィルタ６が熱交換器３側へ落ち込まないようにするために、前記左右のフィルタ支持レール部９、９間に亘る横桟９Ａと、この横桟９Ａの相互に上下に亘る縦桟９Ｂとによって格子状のフィルタ支持枠を構成している。
【００２１】
空気調和機１は、図示した形態の熱交換器３の熱交換効率を向上させるために、それの上面前端部と前面パネル７の上下中間部の双方に、横長の空気吸い込み口５Ｂ、５Ｃを形成している。この空気吸い込み口５Ｂは、前面パネル７の上端部に前記した左右の軸支持部８、８の間を前方へ窪ませて形成したものであり、一方、前面側の空気吸い込み口５Ｃは、前記前面パネル７に形成された横長矩形状の窓で構成されている。１０は空気清浄フィルタであり、前記フィルタ６よりも更に精度の高い空気浄化作用を行う化学繊維製のフィルタ構成となっている。
【００２２】
前記送風機４の運転によって、前記熱交換器３と熱交換する空気の主たる量は、吸い込み口５Ａから吸込まれて、フィルタ６を通過して熱交換器３Ａ、３Ｂと熱交換するが、空気吸い込み口５Ｂから吸い込まれた空気は、主としてフィルタ６と空気清浄フィルタ１０を通って前面側熱交換部３Ａへ吸込まれ、そして、空気吸い込み口５Ｃから吸い込まれた空気は、主としてフィルタ６を通って前面側熱交換部３Ａの下部部分３Ａ１へ吸込まれる。
【００２３】
そして、前記送風機４の運転によって熱交換器３Ａ、３Ｂと熱交換した後の調和空気は、空気調和機１の前面下部に形成した横長矩形状の空気吹き出し口１１から前方へ吹き出される。前記空気吹き出し口１１には、軸１２Ａで上下動するように軸支持された上下動風向板１２と、吹き出す空気流を左右の複数流に分割する左右動風向板１３を備えている。前記熱交換器３Ａ、３Ｂから流下した露は、その下方の露受け皿１４、１５で受けられ、室外に排出される。
【００２４】
前記空気吸い込み口５Ａは、空気調和機本体２の上面の左右方向に長い矩形状の長孔２０によってその全体形が形成されると共に、この長孔２０を前後に亘る複数本（実施例では５本）の縦リブ２１のみにより、大まかに区分された複数の区分吸い込み口５Ａ１によって構成されている。
【００２５】
前記複数の区分吸い込み口５Ａ１は、前後方向に長い矩形状の区分吸い込み口となるように、複数本の縦リブ２１により大まかに区分されることによって、長孔２０の孔縁間が適切な所定の間隔で繋がるため、長孔２０の周縁部の強度を確保することができるようになる。
【００２６】
前記各縦リブ２１は、左右の幅寸法Ｓが約１０〜２０ｍｍ（実施例では約２０ｍｍ）に設定されて従来よりも幅広に形成されたものであり、外面の中央位置には、その縦リブ２１の全長に亘って外向きに長く突出した補強リブ２２が一体成型されている。そして、これら各縦リブ２１の内面は、平坦となっている。
【００２７】
上記した各縦リブ２１の構成は、これら各縦リブ２１の強度確保と、縦リブ２１の内側に挿入されるフィルタ６の挿入の邪魔にならないようにするためである。このような構成によって、フィルタ６は、フィルタ６周縁の枠が左右のフィルタ支持レール部９、９Ｄに沿ってスライドして挿入されることにより、その裏側の支持部（横桟９Ａと縦桟９Ｂで形成）と縦リブ２１の裏側との間に挿入され、縦リブ２１の内側に当接又は近接した状態に配置される。そのため、各区分吸い込み口５Ａ１から吸い込まれる空気に混じった塵埃は、フィルタ６によって除去されることになり、熱交換器３Ａ、３ＢのフィンＰの目詰まりを良好に防止できる。
【００２８】
このように、フィルタ６の挿入の際に、縦リブ２１の平坦な内面がフィルタ６の上面側の挿入ガイド面になるので、フィルタ６の挿入が良好となる。また、左右一組のフィルタ６の相隣り合う端縁を支持するフィルタ支持レール部９Ｄ、９Ｄと、フィルタ６の縦桟９Ｂとを、図３に示すように、前記縦リブ２１の裏側に対応した位置に形成することにより、フィルタ６の上下面がこれらによって支えられて、安定した挿入が行える。そして、例えば、フィルタ６の縦桟９Ｂが吸い込み口５Ａの縦リブ２１間に露出する場合は、空気の吸い込み抵抗がその分だけ大きくなるため、好ましくはないが、上記したように、フィルタ支持レール部９（９Ｄ）と、フィルタ６の縦桟９Ｂとを、縦リブ２１の裏側に対応させることにより、空気の吸い込み抵抗が増加する懸念が無い。また、フィルタ６の横桟９Ａも吸い込み口５Ａから露出しないように形成すれば、一層、好ましい状態になるものである。
【００２９】
前記空気調和機１の上面の空気吸い込み口５Ａは、室内の壁に取り付けた状態では、直接に目視しにくい部分であるため、従来のように、多数の横桟によってその内側のフィルタ等の目隠しをするようなデザイン的な考慮を必要としない。このため、空気吸い込み口は、熱交換器３の形状や空気流路の形態によって、空気調和機１の上面のみの空気吸い込み口５Ａとすることも可能である。
【００３０】
また、空気吸い込み口５Ａの全体形を形成する横長矩形状の長孔２０は、上記のように、複数本の縦リブ２１によって左右方向に大まかとした区分吸い込み口５Ａ１によって区分されるため、主たる空気の空気の吸い込み口が大きくなり、多数の横桟が存在するものに比べて、吸い込み空気の抵抗を減少でき、熱交換器３Ａ、３Ｂと熱交換する空気の量を確保し易くなる。そして、空気吸い込み口５Ａには複数本の縦リブ２１のみ形成されて、横桟が無いため、空気吸い込み口５Ａ部分の清掃は、縦リブ２１を前後方向に拭き取るだけの簡単な作業で行うことができ、清掃の容易な構造となせる。
【００３１】
本発明は、上記のような構成によって効果が得られるため、空気吸い込み口５Ａには横桟を設けず縦リブ２１のみを設けた構成が好ましい。この場合、空気吸い込み口５Ａの全体形があまりにも大きくなって、長孔２０の前後縁の距離が長くなり過ぎる場合には、横幅の広い縦リブ２１形状とすることにより、長孔２０の周縁部の強度と縦リブ２１自体の強度を確保できる。
【産業上の利用可能性】
【００３２】
本発明の空気調和機は、熱交換器３が逆Ｖ字状以外の形態でもよく、また空気吸い込み口は空気調和機の上面のみに形成されるものでもよい。このため、上記実施形態に限定されず、本発明の技術的範囲を逸脱しない限り種々の空気調和機に適用できるものである。
【図面の簡単な説明】
【００３３】
【図１】本発明に係る空気調和機の縦断側面図である。
【図２】本発明に係る空気調和機のフィルタを取り外した状態の上面斜視図である。
【図３】本発明に係る空気調和機の上面における空気吸い込み口部分の部分拡大斜視図である。
【符号の説明】
【００３４】
１      空気調和機
２      空気調和機本体
３      熱交換器
４      送風機
５Ａ    上面の空気吸い込み口
６      フィルタ
７      前面パネル
９      フィルタ支持レール部
９Ｄ    フィルタ支持レール部
１１      空気吹き出し口
２０      長孔
２１      縦リブ
２２      補強リブ
Ｓ      縦リブの幅寸法
【図１】
2006090694.tif 000003
【図２】
2006090694.tif 000004
【図３】
2006090694.tif 000005